(57)【要約】【課題】  構造を簡略化し、部品点数を削減した開閉器の操作装置を提供することを目的とするものである。【解決手段】  操作軸３回りに回動する第１のトグルレバー４と、操作軸３回りに回転自在に取り付けられた第２のトグルレバー５と、第１のトグルレバー４と第２のトグルレバー５の間に架け渡された引っ張りばね６と、第２のトグルレバー５に押圧されて回転するカム８と、カム８と一体に回転して主回路を機械的に開閉する主回路駆動軸７と、カム８と係合して、カム９の動作によって電動機の正逆転を切り換えるマイクロスイッチ９を備える。また、前記電動機と操作軸３の間にギヤ機構２を介する。【選択図】図１
2005158266.tif 000002
【特許請求の範囲】
【請求項１】
電動機の駆動力でトグルレバーを回動させて、開閉器を開閉する開閉器の操作装置において、
電動機の駆動力で、操作軸回りに回動する第１のトグルレバーと、前記操作軸回りに回転自在に取り付けられた第２のトグルレバーと、前記第１のトグルレバーと前記第２のトグルレバーの間に架け渡された引っ張りばねと、前記第２のトグルレバーに押圧されて回転するカムと、前記カムと一体に回転して主回路を機械的に開閉する主回路駆動軸と、前記カムと係合して、前記カムの動作によって前記電動機の正逆転を切り換えるマイクロスイッチを備えたことを特徴とする開閉器の操作装置。  
【請求項２】
前記電動機と前記操作軸の間にギヤ機構を介したことを特徴とする請求項１に記載の開閉器の操作装置。
【発明の詳細な説明】
【技術分野】
【０００１】
本発明は、開閉器を電動機の駆動力で開閉する操作装置に関するものである。
【背景技術】
【０００２】
開閉器を電動機の駆動力で開閉する開閉器の操作装置は、各種提案されている。例えば、特許文献１あるいは特許文献２には、電動機の駆動力により投入ばねに、ばね力を蓄勢し、この投入ばねのばね力により可動電極を作動して開閉器を閉路する操作装置が開示されている。また、特許文献３にはトグルばねを備えて、開状態あるいは閉状態を保持する操作装置が開示されている。
【特許文献１】特開平８−９９６６７０号公報
【特許文献２】特開平１０−９７８２２号公報
【特許文献３】特開平５−２８８８１号公報
【発明の開示】
【発明が解決しようとする課題】
【０００３】
しかしながら従来の操作装置は、瞬時に開放操作を行えるようにするため、複雑な構成を備えるとともに、部品点数が多くなり、製造コストが嵩むという問題があった。一方、コンデンサ開閉用開閉器など瞬時の開放操作が不要な用途においては、かかる機能は不要であり、より簡素な操作装置が求められていた。そこで、本発明は構造を簡略化し、部品点数を削減した開閉器の操作装置を提供することを目的とするものである。
【課題を解決するための手段】
【０００４】
上記の課題を解決するために、本発明は、電動機の駆動力でトグルレバーを回動させて、開閉器を開閉する開閉器の操作装置において、電動機の駆動力で、操作軸回りに回動する第１のトグルレバーと、前記操作軸回りに回転自在に取り付けられた第２のトグルレバーと、前記第１のトグルレバーと前記第２のトグルレバーの間に架け渡された引っ張りばねと、前記第２のトグルレバーに押圧されて回転するカムと、前記カムと一体に回転して主回路を機械的に開閉する主回路駆動軸と、前記カムと係合して、前記カムの動作によって前記電動機の正逆転を切り換えるマイクロスイッチを備えるものである。また、前記電動機と前記操作軸の間にギヤ機構を介したものである。
【発明の効果】
【０００５】
本発明によれば、開閉器の操作装置の構成を簡略化し、部品点数を削減することができるので、安価で信頼性の高い操作装置が実現できる効果がある。
【発明を実施するための最良の形態】
【０００６】
以下、本発明の具体的実施態様について、図に基づいて説明する。
【実施例】
【０００７】
図１は、本発明の実施例を示す開閉器の操作装置の構成図であり、開路状態を示している。また、図２は同じ操作装置の構成図であり、閉路状態を示している。図において、１は電動機（図示せず）の出力軸であり、ギヤ機構２を介して操作軸３に駆動力を伝達する。操作軸３には第１のトグルレバー４が一体に取り付けられている。また、操作軸３回りに自由に回転できるように第２のトグルレバー５が取り付けられている。第１のトグルレバー４に取り付けたピン４ａと第２のトグルレバー５に取り付けたピン５ａの間には、引張りばね６が架け渡されている。７は図示しない主回路を機械的に開閉する主回路駆動軸であり、主回路駆動軸７にはカム８が一体に取り付けられ、駆動軸７回りに回転する。カム８には、ローラ８ａとローラ８ｂが取り付けられ、ローラ８ａ、８ｂは第２のトグルレバー５に当接する。９はマイクロスイッチであり、カム８によって動作する。また、マイクロスイッチ９はその動作により、モータ１の結線を正反対に切り替えるように接続されている。１０，１１は第１のトグルレバー４の動作を規制するストッパであり、１２，１３はカム８の動作を規制するストッパである。
【０００８】
次に、操作装置の動作を説明する。図１に示す開路状態において、投入指令により電動機（図示せず）の出力軸１が正回転すると、ギヤ機構２を介して前記電動機の駆動力が操作軸３に伝えられ、操作軸３が右回転し、操作軸３と一体に取り付けられた第１のトグルレバー４も右回転する。この時、カム８はストッパ１３に当接し、第２のトグルレバー５はカム８のローラ８ｂに当接してしているので、第２のトグルレバー５は右回転できない。したがって、第１のトグルレバー４と第２のトグルレバー５の間隔が開くので、引張りばね６が伸びる。更に、第１のトグルレバー４が右回転して、死点（破線で示した位置）を超えると引張りばね６の力によって第２のトグルレバー５が左回転し，ローラ８ａを押してカム８と主回路駆動軸７を右回転させて、主回路を投入するとともに、マイクロスイッチ９を動作させて、投入回路（正転回路）から前記電動機を切り離すと共に，開放回路（逆転回路）に前記電動機をつなぎかえる。以上のようにして、操作装置は図２に示す閉路状態になる。
【０００９】
図２に示す閉路状態において、開放指令により前記電動機の出力軸１が逆回転すると、操作軸３が左回転し，操作軸３と一体の第１のトグルレバー４も左回転する。この時、カム８はストッパ１２に当接し、第２のトグルレバー５はカム８のローラ８ａに当接してしているので、第２のトグルレバー５は左回転できない。したがって、第１のトグルレバー４と第２のトグルレバー５の間隔が開くので、引張りばね６が伸びる。さらに、第１のトグルレバー４が左回転して、死点（破線で示した位置）を越えると引張りばね６の力によって第２のトグルレバー５が右回転し，ローラ８ａ，次いでローラ８ｂを押してカム８と主回路駆動軸７を左回転させて、主回路を開放する。また、カム８がマイクロスイッチ９から外れて，開放回路から前記電動機を切り離すと共に、投入回路に前記電動機をつなぎかえる。
【産業上の利用可能性】
【００１０】
本発明は、開閉器を電動機の駆動力で開閉する操作装置として有用である。
【図面の簡単な説明】
【００１１】
【図１】本発明の実施例を示す開閉器の操作装置の構成図であり、開路状態を示す図である。
【図２】同じ操作装置の構成図であり、閉路状態を示す図である。
【符号の説明】
【００１２】
１  （電動機の）出力軸、２  ギヤ機構、３  操作軸、４  第１のトグルレバー、５  第２のトグルレバー、６  引っ張りばね、７  主回路駆動軸、８  カム、９  マイクロスイッチ、１０，１１，１２，１３  ストッパ
【図１】
2005158266.tif 000003
【図２】
2005158266.tif 000004